Podtech/llm-jp-corpus-v4-ja_patent huggingface dataset:
(57)【要約】【課題】本発明の、要介護者対応型クッションの使用によって、身体の圧力を分散することの快適な硬さ・幅・長さ・丸みからの直接的・間接的に身体に接触可能とした良質な休息・睡眠が取れ、快適な暮らしができることを提供する。【解決手段】要介護者対応クッションは、材質の異なるクッション材充填形成構造を特徴とした。その為に、安全、安心が得られるように、機能性を考慮し、しかも安価さを提供する。多目的・多様化の汎用活用によって、介護、看護、看病においての負担を軽減する。使用後においては、廃棄処分をすることで、生分解を有する有害物の排出を抑える。感染症・院内感染症を抑えること等の環境問題を配慮したことを特徴とする。【選択図】なし【特許請求の範囲】
【請求項１】
植物乾燥・籾殻焼成粒・珪藻土焼成粒等の素材を備えてなる、要介護者対応型クッションを特徴とする。
【請求項２】
請求項１の要介護者対応型クッションの素材は、天然素材を特徴とする。
【請求項３】
請求項１の感触の異なる素材を単一・２種類以上・複合化合とした材質構成を特徴とする。
【請求項４】
一個の細長い袋状クッションの要介護者対応型クッションは、クッション体を、ファスナ−によって開閉可能とされた形状を特徴とする。
【請求項５】
請求項１，２，３、４、５の要介護者対応型クッションは、多孔質の集合体等の素材を適した表生地に備え、請求項１から５に類した発明は、多目的・多様化に汎用活用を可能とする。
同等の効果・成果が得られる要介護者対応型クッションについては、本発明趣旨の逸脱しない範囲の変更を本発明に含む。
【発明の詳細な説明】
【技術分野】
【０００１】本発明は、要介護者の身体の適所を支え、床ずれ発生の予防、すでに発生して床ずれの保護、治癒に関する要介護者対応型クッション。
【背景技術】
【０００２】要介護者の床ずれは、介護、看護、看病いかんによって発生予防ができると認識されている。それだけに、患者へのマッサージ、寝返りを数回繰り返し実施し発生防止に努力をしている。
従来、合成繊維の綿・合成樹脂のパイプ状ビ−ズ・発泡樹脂のビ−ズ・合成樹脂製のスポンズ・ゴム製のスポンズ・ム−トン・ウレタン・羽毛・穀類の殻・木製粒状体・コルク製の粒状体・空気を入れたクッション，ドウナツ状に工夫された床ずれ防止等の使用が開示されている。
しかし、その要介護者の身体の適所・床ずれ予防・治療効果を有することは知られていない。
【発明の開示】
【発明が解決しようとする課題】
【０００３】本発明は、上記、従来機能の身体重量緩和による患部の保護具にとどまらず、自分に合った好みの高さ、形状の自在を形成可能としたことにある。
快適な姿勢でもって、保温、保湿性，消臭、通気性、放熱性にも優れ、保熱効果、空気清浄効果メカニズムの天然素材の植物乾燥・籾殻焼成粒・珪藻土焼成粒を取り入れた適度な感触素材の要介護者対応型クッションである。
本素材は、天然資源素材を使用していることから安定供給の確保ができ、しかも製造コストが安価で・安全・安心を提供する。
【課題を解決するための手段】
【０００４】本発明は、従来、洗濯して何度も使用する高額なクッションから、感染対策に優れた使い捨てに対応できる衛生重視の安価な、しかも廃棄処分においても有害物を排出せず、生分解を有する環境に優しい、要介護者対応型クッションであり環境保護に資するものである。
本クッションの素材は、植物乾燥・籾殻焼成粒・珪藻土焼成粒等には、細孔の目詰まりは無く、孔の中に更に孔があり、天然素材の超微細・多孔を有している。
寝具生地の綿素材を使用し、サイズを任意にとれることから使用範囲が広まる。
クッションの表・裏の両面使用を可能にしたことを特徴とした。
（効能）
吸湿性がよい。放熱性がよい。通気性がよい。弾力性があり寝心地がよい。汗を発散させ寝心地がよい。坊ダニ・抗菌・坊カビ作用がある。調湿・防湿・消臭効果がある。
（手入れ方法）
吸湿性に富んでいることから、こまめに日光乾燥をすることにより、快適に活用できる。
（特色）
両面使用ができる。
通気性がよく衛生的。
サイズ調整が自在可能。
（構造）
多孔質の集合体素材を１００パーセント使用した。
表生地は、綿１００パーセント使用で寝具に適している。
クッション使用なので好みによって、用材の使用量が変えられる。
サイズ調整・ファスナ−によって開閉が可能とされる。
睡眠時に保温性・保湿性が十分でないと、体内バランスが壊れ、体調不良・機能低下を招くおそれがあるので、感触の異なる素材構成を特徴とする。
【発明の効果】
【０００５】本発明は、メッシュの整った粒状の体圧バランスを視野に入れた要介護者対応型クッションであり、感触の異なる素材を複数充填構成のクッションを特徴としており、身体の部位にしっくりなじみ、痛みを和らげる。
患部に汗・血液・体液等により繁殖する細菌から、床ずれ発症を防ぎ、発症の予防をする。
よって、介護・看護・看病の負担軽減ができることを特徴とした。【０００６】本発明の、要介護者対応型クッションは、従来、汚れを洗濯して継続使用をしていたものを不要とし、そのまま廃棄処分をすることによって、感染症・院内感染を防ぐことができる。【０００７】本発明の使用は、ベッド・車椅子・診療椅子・治療用椅子・理容椅子・美容椅子・応接セット・車両シ−ト等身体の配置・部位を変えることの汎用性が向上する。【０００８】本発明の要介護者対応型クッションは、患者の汗・血液・体液等によって繁殖する細菌回避を重要視することから、保健衛生環境に貢献できる。
【発明を実施するための最良の形態】
【０００９】本発明は、床ずれの発症し易い箇所や患部に使用する事で、箇所や患部に体重が集中することなく、身体部位にしっくり馴染み安定した状態を保つ事ができる。【００１０】本発明の、要介護者対応型クッションは、皮膚に直接ふれても違和感のない素材にしたことを特徴とする。【００１１】ベッドの使用時、車椅子の使用時等においても、クッションを使用する事により、床ずれ発生予防、床ずれの発症している床ずれ等の保護をすることを特徴とする。【００１２】床ずれ予防クッションは、患者の希望する箇所に使用することによって、心地よいすごし方ができることを特徴とする。【００１３】本発明を好ましい  床ずれ予防クッションを敷くことができる仕様を可能にしたことを特徴とする。
【産業上の利用可能性】
【００１４】本発明は、天然素材の植物乾燥・籾殻焼成粒・珪藻土焼成粒等を素材とし、その特性を活用し、汎用性を特徴とした要介護者対応型クッションが提供される。【００１５】本発明の素材は、天然の植物乾燥・籾殻焼成粒また、珪藻土焼成粒の特長は、木炭の数千倍という超多孔質でしかも超細孔を保持し、軽さは、かさ比重０，２４・気孔率９０パーセント・ＳｉＯ２の９８．５％は、他の素材に類がない。
本クッションの特徴は、吸湿性・放湿性に富み・消臭・空気清浄・保温効果があることから快適な休息・睡眠が提供できる。
(57)【要約】【課題】本発明は、原因判明・原因不明・なんらかの起因で植物状態診断患者・自閉症・パ−キンソン病・身体障害者・要介護者に脳チャネルシステム導入を操作の単純・容易な動作によって、脳活性度・再生化を促し、脳神経・抹消神経の活性化システムを提供する。【解決手段】前記、脳神経・抹消神経の障害者に発光賦与伝達物質を機能障害要の度合いによって、脳神経細胞・抹消神経細胞の補助、失われた脳神経細胞・抹消神経胞に発光賦与伝達物質を組み込む情報伝達を可能とした脳の活性化・再生を図ることができる。【選択図】なし【特許請求の範囲】
【請求項１】
自閉症・パ−キンソン病・脳機能障害・要介護者・植物状態診断患者の脳機能チャネルを神経細胞に発光賦与システム対応型視覚システム効果によって、脳神経細胞の活動を活性化・癒し効果システムによる代替治療を揮発される促進効果を特徴とする。
【請求項２】
公知の視覚による光の照射を色彩の連続多彩発光システム賦与システムは、脳神経細胞の光感授性神経細胞の活性化によって、多種多様・多彩形と光の構成が受ける個々人の自発促進イメ−ジの揮発促進を自然治癒することで得たことを特徴とする。
【請求項３】
本発明による賦与効果は、光の照射を脳内機能に組み込む一種類の文様・複数の文様・形の多様等変化万別の形容を一瞬に脳伝達による連続フラッシュ作用は、残像・残影の記憶・イメージからの創造促進効果が得られ、抹消神経の構成神経細胞伝達機能の代替治療促進効果を特徴とする。
【請求項４】
右脳・左脳をつなぐ脳梁組織に起因する脳細胞の活性化は、請求項３において請求項２の成果を得ることを特徴とする。
【請求項５】
前記、請求項１から４において脳神経細胞の活性化とその発光賦与チャネルシステムは、本発明趣旨を逸脱しない範囲の変更は本発明に含まれる。
【発明の詳細な説明】
【技術分野】
【０００１】本発明は、脳神経細胞に伝達物質発光賦与システム対応型視覚システムの視覚反応を利用した脳活性化システム・癒し効果システムに関する。【０００２】上記の視覚反応システムを利用した脳神経細胞に伝達物質発光賦与システムは、脳神経細胞の活性化・癒し効果システムを、なんらかの原因で障害を受けた個々人の自発促進自然治癒効果を高めることに関する。【０００３】本発明の脳活性化・癒し効果システムは、多様に変化作用する光の照射の連続多彩発光賦与システムと、その形のイメージは、個々人の視覚による視覚表現が一様の種類から色々の形と光の角度によって変化する構成・多色彩が連続多彩に発光するシステムから視覚に投与される脳神経細胞の活性化促進による精神性理学に関する。
【背景技術】
【０００４】従来、自閉症・パ−キンソン病・脳機能障害・要介護者・植物状態診断患者への能機能チャネル対応の視覚反応から脳の活性化・癒し効果に関するものには数が少ない。積極的に個々人の自発促進効果が追求でき得る脳神経細胞の活性化・癒し効果促進を望んでいる。
【発明の開示】
【発明が解決しようとする課題】
【０００５】従来、請求項１の診断患者対応に感覚属性に関する分野において、視覚感覚に一様性のない複雑分野のままに、快感による脳神経細胞の活性化は乏しい。本発明の、発光賦与伝達物質対応型視覚システムの脳神経細胞の活性化・癒し効果システムは、視覚反応の公知、既知物質感覚属性の促進効果の実用化を鑑みることを本発明課題とする。【０００６】本発明は、このような実状に鑑みなされたものであり、身体障害の残るよう要介護者にも自発的動作を促す脳神経細胞の再生化、脳神経細胞活動の活性度の包括的把握が可能な一瞬変化の多い特性を有する請求項２提供を特徴とする。
【課題を解決するための手段】
【０００７】課題を解決するため、本発明は、前記のシステムを容易とする多種・多様のイメ−ジによる効果で脳神経細胞に伝達物質が有効に揮発効果が得られ、好ましい選択の合理的構成が得られ代替治療の提供を目的とする。
【発明の効果】
【０００８】以上のように、請求項３の光の照射色彩連続多彩発光賦与システムは、脳神経細胞光感授性神経細胞の活動の減退した脳の再活性化を促し、抹消神経の伝達機能に視覚効果が発揮し、脳神経に無駄なく融合し、汎用される。【０００９】本発明の光視覚による脳への照射を脳内機能に組み込む脳伝達物質効果の活性化は、視覚効用が公知とされている。精神安定効果から癒し自然治癒力を高め、自発促進効果を特徴とする。【００１０】脳への揮発促進は、本発明の請求項４の右脳・左脳をつなぐ脳梁組織に起因する。しかし、個々人の光速度の脳受信によって応答速度オ−ダ−に適用限界はあるものの、脳神経細胞の共通特性を有する成果としてなることを特徴とする。
【発明を実施するための最良の形態】
【００１１】本発明の脳神経細胞の活性化とその発光賦与伝達物質対応視覚システムの脳神経活性化・癒し効果システムを発揮し得ることを図ることの汎用性。つまり、本発明によって好ましい脳神経の活性効果が得られる。【００１２】なお、本発明は上記技術の実施に限定されるものではなく、汎用性があり、趣旨を逸脱しない種々範囲が想定されることの変更は、本発明に含まれる。
【産業上の利用可能性】
【００１３】本発明を用いての脳神経細胞・抹消神経の細胞伝達物質の活性促進をすることで、精神性理学に関することから、癒しの効果、自然治癒等の臨床効果に係わる。【００１４】上記、本発明を発揮促進することで、さらに、脳機能チャネルの汎用性効果が得られ、産業上の利用可能性を有する。
(57)【要約】      （修正有）【課題】主にホイル焼き料理等に手軽に使える、くっつかない、破けにくい、安価で使い易いくしゃくしゃしわ加工アルミホイルを提供する。【解決手段】予め、非常に浅い無数のくしゃくしゃのシワ状の面に機械加工したアルミ箔を、従来のアルミホイルと同様のサイズ・同様のロール型にして、同様に自由に必要な長さを引き出し・切り取る仕方で使用できるアルミホイルとする。この場合のシワは、非常に浅いのみならず、必ずしも筋状の溝や規則性を持った凹凸等である必要はなく、ランダム形状で差しつかえないことを特徴とするくしゃくしゃアルミホイル。【選択図】図１
2012085986.tif 000002
【特許請求の範囲】
【請求項１】
予め、非常に浅い無数のくしゃくしゃのシワ状の面に機械加工したアルミ箔を、従来のアルミホイルと同様のサイズ・同様のロール型にして、同様に自由に必要な長さを引き出し・切り取る仕方で使用できるアルミホイルとし、この場合のシワは、非常に浅いのみならず、必ずしも筋状の溝や規則性を持った凹凸等である必要はなく、ランダム形状で差しつかえないことを特徴とするくしゃくしゃアルミホイル。
【発明の詳細な説明】
【技術分野】
【０００１】  本発明は、ホイル焼きなど、主に料理等に使うアルミホイルの改良型である。
【背景技術】
【０００２】  従来、肉や焼き魚、餅焼き、焼きおにぎり、ピザトーストの温め、あるいは代表的な鮭とキノコのホイル焼き等の料理に際し、アルミ箔製ホイルが使われているが、破けやすいために通常は２枚重ねて使うことが多い。アルミ箔の片面にシリコン樹脂をコーティングした「くっつかないホイル」も市販されている。アコーデオンカーテン形状のものも１枚ずつ袋入りで市販されている。またアルミ加工した耐火性素材に凹凸溝形状をつけ、フライパンや天ぷら鍋等の手前側を覆う「調理用油とび防止カバー」等も知られている（特許文献１参照）。
【先行技術文献】
【０００３】
【特許文献１】  特開２００５−２７９２２９
【発明の概要】
【発明が解決しようとする課題】
【０００４】  アルミホイルを使って食材を焼く時、餅のようなものは非常にくっつき易く、また魚や肉などは焦げ付き易く、特に粕漬けや味噌漬けなどは焦げ付きがひどいため、処理が大変でもあり、すぐに破け易くもなる。そのため、２枚重ねて使うことが多く不経済でもある。「くっつかないホイル」にコーティングしてあるシリコン樹脂は高価な素材なのでコスト高である。アコーデオンカーテン形状のものは、魚等を焼くのにはいいが、包むことはできないので蒸し焼き等の調理には使えず、また１枚ずつ個別に購入するのでとても経済的ではない。個々の消費者の智恵として、アルイミホイルを揉みくしゃにして使用すれば焦げ付きは防げるが、原型サイズより大幅に狭く縮んでしまい、食材を充分包み込むこともできず等、別の不便さがあった。油とび防止カバーに関しては、本来的な用途目的に制約されて、アルミ素材の面に施された凹凸の溝はかなり深く大きいという点から見ても、本発明の直接的な課題の範疇からは外れると判断される。
本発明は以上の問題点を解決するものである。
【課題を解決するための手段】
【０００５】  予め、非常に浅い無数のくしゃくしゃのシワ状の面に機械加工したアルミ箔を、従来のアルミホイルと同様のサイズ・同様のロール型にして、同様に自由に必要な長さを引き出し・切り取る仕方で使用できるアルミホイルとする。この場合のシワは、非常に浅いのみならず、必ずしも筋状の溝や規則性を持った凹凸等である必要はなく、ランダム形状で差しつかえない。
以上を特徴とするくしゃくしゃアルミホイルである。
【発明の効果】
【０００６】（イ）料理に使うアルミホイルの表面がつるつる平面でなく、非常に浅いが無数のくしゃくしゃ状のシワになっているため、食材がくっついたり焦げ付いたりしにくい。
（ロ）食材から出た油がシワの間には入りこむことにより、食材に再び付着することが大幅に減るので、料理がべたつかず、とてもきれいに仕上がる。
（ハ）焼け付き、焦げ付きがなく、調理された食材がきれいに取り出せるため、アルミホイルが破けにくいので、従来のような２枚重ねの必要がなく、経済的でもあり、廃棄処分するホイルの量も少なくなってエコでもある。
（ニ）個々の消費者が、アルミホイルをそのつど面倒な揉みくしゃ作業をして、見た目にもきたなく小さく縮んで使いづらくもあった面倒さ・不便さがなくなり、従来と全く同じアルミホイルの使い方で、気持ちよく調理作業がおこなえる。
（ホ）アルミホイルのケースは従来のままでよく、同じように自由に引き出して切り取り、そのままの広さで同じように使うことができるので、消費者も全くとまどうことがない。
【図面の簡単な説明】
【０００７】
【図１】本発明の斜視図
【発明を実施するための形態】
【０００８】  以下、本発明の実施の形態を説明する。
予め、非常に浅い無数のくしゃくしゃのシワ状の面（１）に機械加工したアルミ箔を、従来のアルミホイルと同様のサイズ・同様のロール型にして、同様の収納ケース（２）に入れ、同様に自由に必要な長さを引き出し・切り取って使用するアルミホイルである。
本発明は以上のような構造である。
これを実際に使用するときは、従来のアルミホイルと同様に、収納ケース（２）に収まっているロールから、調理に必要な長さを自由に切り取って、焼き・蒸し等の調理に利用する。ホイルの表面がくしゃくしゃのシワ状になっているため、調理の食材が焼いても蒸してもくっつきにくく、食材から滲み出た油も無数のシワの間に入り込んでいくため、その油が食材に再付着しにくいため、料理もカラットきれいに仕上がることができる。
【符号の説明】
【０００９】  １  くしゃくしゃのシワ状の面
２  収納ケース
【図１】
2012085986.tif 000003
(57)【要約】【課題】生活空間の消臭、脱臭効果に優れた環境用剤を低コストで提供できる。【解決手段】本発明の消臭剤は、木酢液の成分を珪藻土の多孔質体に含有、吸着させることにより酸化触媒、反応をおこさせ臭気物質を酸化分解させる。蛋白質の腐敗臭、人間、動物の排泄物質等の分解効果があり、トイレ、浄化槽、バッキュ−ムカ−からの悪臭、企業先の悪臭源の消臭に用途がある。木酢液に含む成分のフェノール類と珪藻土の成分を含有させることを特徴とする。【選択図】なし【特許請求の範囲】
【請求項１】
消臭処理を木酢液の成分と多孔質のシリカを持つ珪藻土に結びつけ、臭気吸着・臭気分解を備えたことを特徴とした。
【請求項２】
消臭処理を酸化木酢液４０体積％に多孔質のシリカ体積６０％で覆った混合構造をつくリ悪臭を透過、接触させることによって悪臭吸着・悪臭分解することを特徴とした
【請求項３】
消臭処理を汎用にシステム装置し、悪臭吸着・悪臭分解することを特徴とした。
【請求項４】
請求項１から請求項３に類した同等の効果・同等の成果がえられる本発明趣旨の逸脱しない範囲の変更は、本発明に含まれる。
【発明の詳細な説明】
【技術分野】
【０００１】本発明は環境改善に関するものであり、臭気物質を吸着・酸化分解し、消臭に優れた消臭剤を提供する。
【背景技術】
【０００２】消臭剤については数多くの提案がなされ、実用化されているものの絶えず散布する必要がある。
アンモニアガス、メチルメルカプタニガス、硫化水素ガス等の測定発表はあるが、人間の臭覚は、その人によって臭気の感じ方が一様でないことがデーター上判明している。体調、個人差によって測定結果が一致しない為、従前の消臭剤は明確でない。
臭気は、対策に効果が薄く、消臭力に課題を残している。手間やコスト面においても指摘されている。
悪臭成分のアンモニア、トリメチルアミン硫化水素は、酸過触媒成分で分解し、悪臭物質を除去する。
使用後の処理については、土壌消毒、消臭、雑草防除として活用出来る。熱処理をすると再度木酢液を添加することにより復元できる。
【発明の開示】
【発明が解決しようとする課題】
【０００３】消臭成分のアンモニア・トリメチルアルミン・硫化水素は、酸化触媒成分で分解し悪臭物質を有効に除去することが出来る。特にアンモニア炭酸ガス、酸化水素、イオン化合物、アミン類等が本発明の消臭剤に反応した。【０００４】消臭に天然素材の焼成珪藻土の効用、効能の効果に成果がある。珪酸を主成分とし、一粒の大きさが約径０、０５ｍｍ、直径０、１〜０、２マイクロメートルの超徴組孔を多数有した超多小孔質であり、呼吸性、消臭機能、脱臭機能、空気浄化機能等数多くの性能、機能を有した素材を用いた。【０００５】木酢液については、フェノール類を含む効果から消毒、消臭、脱臭、防菌、防カビ等に効果がある。【０００６】本発明は、木酢液の機能、性能と珪藻土の有用性の組み合わせを環境改善材としての提供を目的とする。
【課題を解決するための手段】
【０００７】従来の悪臭、消臭方法は、発生した悪臭成分を臭わないようにした。しかし、分解しないので悪臭は発生している。
本発明は、環境改善材として、木酢液を珪藻土の細孔部に保持させ、悪臭の分解作用を特徴とした。
【発明の効果】
【０００８】天然素材の珪藻土は、消臭性、呼吸性、空気浄化性の有用な特徴と細孔部に吸着保持された木酢液の坑菌、消臭の特性が、相乗効果となって優れた環境改善材を得ることができた。
珪藻土が有する特性から、木酢液が放出されることで、珪藻土の独自効果の大きい作用が発見された。【０００９】さらに環境改良材として、持続的効果の得られることが発見された。
【発明を実施するための最良の形態】
【００１０】実施形態は、珪藻土６０体積％に木酢液４０体積％を混合とした。珪藻土の主成分は、珪酸質で平均粒径０、０５ｍｍの無数の孔があいている多孔質で０、１〜０、２マイクロメートルの超徴細孔を有し、呼吸性という最大の特性と消臭、脱臭機能があり、アンモニアの有害質を吸い、複合効果がある。フェノール類は、溶解性の有機物等の存在効果がある。【００１１】木酢液は、貯槽の上部の油性分、中部の木酢液、下部のタール分と不純物の比重の異なる３層に分解される。タール分の混入防止から１年以上の放置によって製造する。油性分は２０〜２５体積％。木酢液は５５〜６５体積％、タール分は１５〜２０体積％を木酢液の組成とした。本発明は、中部における分離された木酢液を回収使用する。【００１２】木酢液と珪藻土の混合消臭剤によって排気中の悪臭濃度は消臭される。
１、消臭ボックス内全体の４／１内に流動化させることを目的とした消臭剤２０体積％に木酢液８０体積％を液状に（シャワーリングで悪臭排気を通過させ、さらにボックス内のフィルターを通すことにより悪臭の滞留を多くし、さらに臭突から排気する時点でシャワーリングすることで無臭化がはかれる。
２、シャワーリングは、ハイブリット方式を取り入れることにより、さらに効果を発揮する。
悪臭が入ると同時に消臭剤シャワーを充満させることにより、ボックス内は霧状状態となる。悪臭滞留時間は、１分以上とした。
３、循環ポンプ作用によるシャワーリングは同一機内の循環方式によることから、オフシャルコストは発生するものの、ランニングコストはローコストとなる。
４、地域社会の環境浄化は良策となる。
悪臭は感覚公害でその不快な臭いで生活環境が損なわれ、感覚的、心理的被害を住民に与えている。悪臭は風などで運ばれ、広く拡散されることから悪臭問題は複雑化し、社会問題である。【００１３】１、多孔板配置活用により、脱臭剤と排ガスが均一に接触され、脱臭効果がある。
多孔板配置板３板活用は排ガスがボックス内の滞留時間１分以上保持され、無臭効果作用がある。
２、消臭剤の使用粒状は、トイレ浄化槽は１リットルを目安とする。
３、消臭剤の交換は１ヶ月１回を目安とする。
４、脱臭機に脱臭剤のセット方法
（１）下多孔板をセットする
（２）脱臭剤１リットルを入れる
（３）中多孔板をセットする
（４）脱臭剤を１リットル入れる
（５）上多孔板をセットする
（６）脱臭剤１リットルを入れる
（７）脱臭剤から生じた液はドレンで回収するが、再利用が可能なことからランニングコストがローコストとなる。
（８）悪臭対応によって多孔板を多くすることも可能とする。
【産業上の利用可能性】
【００１４】本発明は、珪藻土の有用な特徴に木酢液の特性の相乗効果による酸化触媒反応に関する。安全性・経済性ともに優れ、低コストでしかも実用に優れた酸化分解を特徴とする環境用材に関する。
(57)【要約】【課題】本発明は、医療施設・福祉施設等の感染症・二次生成物の発生回避・殺菌を短時間で処理・作業効率化の殺菌装置の方法及び製造を提供する。【解決手段】本発明は、水溶性電気分解酸性水機能効果で、殺菌作用が働き、細菌類・原虫類を殺菌・死滅を短時間で効率よく成果が図れることを提供する。【選択図】なし【特許請求の範囲】
【請求項１】
酸性水ｐＨ３±１を細菌類・原虫類等に接触することにより殺菌効果を得ることを特徴とする殺菌装置とその製造方法。
【請求項２】
請求項１の細菌類・原虫類等の殺菌を酸性水の浸漬装置・噴霧装置・スプリンクラ−装置・シャワ−装置等で短時間処理を可能とする殺菌装置とその製造方法。
【請求項３】
酸性水を上記の装置によって細菌組成に接触を得ることを特徴とする殺菌装置とその製造方法。
【請求項４】
請求項１から請求項３の酸性水は、電気分解水を用いることで均一・均質・安定供給を特徴とする殺菌装置とその製造方法。
【請求項５】
前記、請求項１から４において汎用性の発明趣旨を逸脱しない範囲の変更は、本発明に含まれる。
【発明の詳細な説明】
【技術分野】
【０００１】本発明は、医療・福祉施設等で使用する殺菌装置とその製造方法に関する。【０００２】電気分解水によるｐＨ調整化合物の成分組成を大量生産が可能なことから、安定供給ができる。【０００３】細菌物質の組成の殺菌に関するものである。
【背景技術】
【０００４】発生源・殺菌・物質については，公知とされている。
しかし、従来の殺菌装置は、加熱殺菌方法・塩素による殺菌方法・紫外線による殺菌方法・オゾンによる殺菌方法・磁気殺菌方法が採用されている。
従来、殺菌に要する処理時間が長時間を要することに難点がある。
細菌の空気感染・水を介しての種々感染症に不均一が生じた場合、処理に有効性のないままが実態である。
個別対応設備、伴う複雑感染発生による殺菌装置構造の複雑導入により、コストの高額・環境問題に問題を残してある。
【発明の開示】
【発明が解決しようとする課題】
【０００５】本発明は、前記従来を鑑みて、工程作業に危険なドアの開閉による二次的被害・塩素に抵抗性のある細菌類・原虫類の殺菌・死滅を得る均質な効果には、電気分解水を浸漬・噴霧・スプリンクラ−・シャワ−等により殺菌効果が容易に処理される。
しかも、短時間処理効果が得られる殺菌装置とその製造方法を提供する。【０００６】本発明は、このような実状に鑑みなされたものであり、細菌物質は水溶性組成を含有していることから、［０００４］記載の従来技術方法から、電気分解水を用いたｐＨ調整可能とする細菌物質の殺菌に必要な水分成分を促進とする含有成分組成を発揮させる電気分解水を用いた殺菌処理方法とその製造方法の提供を目的とする。
【課題を解決するための手段】
【０００７】課題を解決するため、本発明殺菌装置は、殺菌を電気分解水でｐＨ調整可能とする殺菌装置によって、種々の属菌・原虫類・条虫類の感染症を殺菌・死滅することで、有効成分の組成構造の殺菌装置に好ましい選択の合理的構成が得られる。
【発明の効果】
【０００８】以上のように、本発明の殺菌装置とその製造技術は、殺菌効果を無駄なく短時間で発揮され、融合性に優れ、汎用され、各産業への期待は大きい。【０００９】この発明は、電気分解水の酸性水対応で細菌類・原虫類等の殺菌を可能とした殺菌装置構造の殺菌装置とその製造方法を特徴とする。【００１０】電気分解水の酸性水の有用活用によって細菌類・原虫類等の殺菌を特徴とする。
従来の殺菌方法の塩素による二次生成物を回避する。しかも、本発明の電気分解水は安定供給ができ、規模の自在設定ができることからも地域産業に貢献することを特徴とする。
【発明を実施するための最良の形態】
【００１１】本発明は、殺菌組成を請求項１から請求項５から得たことを特徴とする。
前述記載の電気分解水の酸性水を浸漬・噴霧・スプリンクラ−・シャワ−等によって成果を得る。
短時間処理・低コストで、細菌類・原虫類等を殺菌・死滅に好ましい効果が得られる。【００１２】上記技術でもっての電気分解の酸性水は、殺菌有効物質の含有する成分を効率よく抽出でき、効果を得ることができる。
本発明は、実施形態に汎用性を特徴としたことから、趣旨を逸脱しない範囲の変更は、本発明に含まれる。
【産業上の利用可能性】
【００１３】本発明の、細菌組成の殺菌方法及び製造方法は、電気分解水の酸性水を用いた技術によることを特徴とする。【００１４】上記の殺菌装置は、医療施設・福祉施設・ホテル・浴場・プールやその他の施設において、短時間の処理でもって殺菌効果のある殺菌装置であることを特徴とする。
(57)【要約】      （修正有）【課題】周辺の人込みの中からでも、キャリーバッグがあることが認識されやすくなり、事故発生を予防する。【解決手段】先端に発光ダイオードの付いた標識5を取り付け、後端に錘4を取り付けた柔軟性と復元性に富むワイヤー3を設け、同ワイヤー3をワイヤーケース1の支軸の部分に取り付け、キャリーバッグの本体に装着するためのマグネット8を設け、キャリーバッグの本体に装着された際、標識が自動的に点滅するためのスウィッチ、及び電池ケース6、電気回路7を設けた。【選択図】図１
2012085972.tif 000002
【特許請求の範囲】
【請求項１】
先端に発光ダイオードの付いた標識を取り付け、後端に錘を取り付けた柔軟性と復元性に富むワイヤーを設け、同ワイヤーをワイヤーケースの支軸の部分に取り付け、キャリーバッグの本体に本発明品を装着するためのマグネットを設け、本発明品がキャリーバッグの本体に装着された際、標識が自動的に点滅するためのスウィッチ、及び電池ケース、電気回路を設ける。
【発明の詳細な説明】
【技術分野】
【０００１】本発明は、移動中のキャリーバッグが通行中の他人に接触することにより発生する事故を未然に予防することを目的とするキャリーバッグへの接触事故予防装置に関するものである。
【背景技術】
【０００２】従来、キャリーバッグを携行して移動する本人、もしくは周辺の通行人がキャリーバッグに接触しないよう注意を払うことのみが、事故を予防する方法であった。
【発明の開示】
【発明が解決しようとする課題】
【０００３】一般通行人がキャリーバッグに接触して発生する事故にみられる傾向として、キャリーバッグを携行する本人が、キャリーバッグを体の脇に携えるような位置（キャリーバッグが路面に立っている状態）にて進行方向に歩かず、キャリーバッグを本人の背後から引っぱるようにして進行方向に歩くケースが多い。この場合、キャリーバッグの後端の位置は、本人から必然的に離れ、且つ後端の高さは本人及びその手の高さに比べてかなり低くて周辺の人から見えにくく、これがキャリーバッグの存在に気づかぬまま接触して事故を起す大きな原因となっていた。
本発明は、これらの問題点を解決するためになされたものである。
【課題を解決するための手段】
【０００４】先端に発光ダイオードの付いた標識を取り付け、後端に錘を取り付けた柔軟性と復元性に富むワイヤーを設ける。
同ワイヤーを、ワイヤーケースの支軸の部分に取り付ける。
キャリーバッグの本体に本発明品を装着するためのマグネットを設ける。
本発明品がキャリーバッグの本体に装着された際、標識が自動的に点滅するためのスウィッチ、及び電池ケース、電気回路を設ける。
以上を特徴とするキャリーバッグへの接触事故予防装置である。
【発明の効果】
【０００５】従来、キャリーバッグへの通行人の接触による事故が多発していたが、本発明により周辺の人込みの中からでも、そこにキャリーバッグがあることが認識されやすくなり、事故発生の予防につながる。
【図面の簡単な説明】
【０００６】
【図１】本発明の斜視図
【図２】本発明の側面図
【図３】本発明の背面図
【図４】本発明の使用イメージ図
【発明を実施するための形態】
【０００７】以下、本発明の実施の形態について説明する。
（イ）ワイヤーケース（１）の中ほどにワイヤー固定用の支軸（２）を設けワイヤー（３）と支軸（２）を固定する。
（ロ）ワイヤー（３）の上端に発光ダイオードの付いた標識（５）を設け、同下端に錘（４）を設ける。
（ハ）本発明品をキャリーバッグ本体に装着するためのマグネット（８）を設ける。
（ニ）マグネット（８）により本発明品が、キャリーバッグの本体に装着されると自動的に標識（５）が点滅するためのスウィッチ（９）、及び電池ケース（６）、電気回路（７）を設ける。
本発明は以上のような構成で、これを使用するときは本発明品を、図４のようにキャリーバッグの背面にマグネット等により装着すればスウィッチが作動し自動的に標識が点滅を始める。キャリーバッグの本体を、本人が背後から引っぱって進行方向に向かって歩き出すとキャリーバッグは路面に対して垂直の状態ではなく傾いた状態となるが、錘の作用で標識を先端に付けたワイヤーは、そのまま標識とともに垂直に保たれ高い位置を維持し、周辺を歩く通行人からも容易に視認できるようになる。また使用しないときはキャリーバッグから取り外し、復元性の高い性質をもつワイヤーの部分を曲げて小さくしたうえで容器に収納し、キャリーバッグ内にしまっておく。
本発明の実施の形態では、標識（５）に点滅する発光ダイオードを利用したが、代わりに発泡スチロール等の軽量の素材を使っても良い。
【符号の説明】
【０００８】１  ワイヤーケース
２  支軸
３  ワイヤー
４  錘
５  標識
６  電池ケース
７  回路基盤
８  マグネット
９  スウィッチ
【図１】
2012085972.tif 000003
【図２】
2012085972.tif 000004
【図３】
2012085972.tif 000005
【図４】
2012085972.tif 000006
(57)【要約】【課題】本発明は、多孔質組成物を多目的に消臭効果の持続を発揮する消臭パックを提供する。【解決手段】本発明は、通気性のある素材に充填した臭気吸着・臭気分解によって消臭作用を効果的・効率的に多機能性を考慮し、しかも、安全・安心・安価さを提供する。多目的・多様化・汎用活用を可能とし、使用後におけるパックの廃棄処分は、生分解を有する有害物の排出を抑え、感染症・院内感染症を防ぎ、環境問題を配慮したことを特徴とする。【選択図】なし【特許請求の範囲】
【請求項１】
臭気物質を多孔質組成物の籾殻加工物質・珪藻土焼成粒物質・ゼオライト物質・活性炭物質・木炭物質等に坦時させた物質と通気性素材の布織布等充填した臭気吸着・分解等を備えてなる、多孔質組成物の多様的消臭パックとその製造方法。
【請求項２】
請求項１の臭気吸着・分解物質の一種または複合の臭気物質材を汎用性パック形状に充填したことを特徴とする。
【請求項３】
請求項１・請求項２の素材を一種・複合化合としたパックを用途に合わせた形状化を特徴とする。
【請求項４】
請求項１，２，３、の多孔質の集合体等の素材を適した表生地に備え、請求項１から４に類した発明を、多目的・多様化に汎用活用を可能とする。同等の効果・成果が得られる本発明趣旨の逸脱しない範囲の変更は、本発明に含まれることをできることを特徴とする。
【発明の詳細な説明】
【技術分野】
【０００１】本発明は、臭気吸着物質・臭気分解剤等の化合物を通気性の素材に坦持し、消臭効果を効率よく発揮する消臭パックに関するものである。
【背景技術】
【０００２】従来の消臭パックは、活性炭・触媒・オゾン酸化等の単一、または、一種によるものが多く市販され、使用されている。【０００３】しかし、活性炭の場合、吸着量が飽和量に達することで悪臭物質の吸着は不可能になる。【０００４】また、触媒による消臭においては、悪臭物質の持続効果が遅い。【０００５】さらに、オゾン酸化による消臭においては、オゾンが人体に有害のため、規模装置の設計、部材、型材と製作技術がかかり高額なものになっている。
【発明の開示】
【発明が解決しようとする課題】
【０００６】本発明は、上記不満足のことから、保温、保湿性，消臭、通気性、放熱性にも優れ、保熱効果、空気清浄効果メカニズムの天然素材の籾殻加工物質・珪藻土焼成粒物質・ゼオライト物質・活性炭物質・木炭物質等に坦持することで消臭・脱臭効果・効率能力を持つことができた。【０００７】本発明素材は、天然資源の活用から、安定供給の確保ができ、しかも製造コストが安価で・安全・安心を提供する。
【課題を解決するための手段】
【０００８】本発明は、多目的な汎用効果があり、感染対策に優れ、使い捨てに対応できる衛生重視の安価な、しかも天然素材を使用していることから、廃棄処分においても有害物を排出せず、生分解を有し、環境保護に資するものである。【０００９】籾殻加工物質・珪藻土焼成粒物質・ゼオライト物質・活性炭物質・木炭物質等には細孔の目詰まりは無く、孔の中に更に孔があり、天然素材の超微細・多孔を有している。【００１０】消臭パック素材は、通気性効果のあるものを使用し、パックの表・裏の両面使用を可能にしたことを特徴とした。
（効能）
吸湿性がよい。放熱性がよい。通気性がよい。弾力性がある。坊ダニ・抗菌・坊カビ作用がある。調湿・防湿・消臭効果がある。
（手入れ方法）
吸湿性に富んでいることから、こまめに日光乾燥・対流をすることにより、快適に活用できる。
（特色）
両面使用ができる。
通気性がよく衛生的。
サイズ調整が自在可能。
（構造）
多孔質の集合体素材を１００パーセント使用した。
表・裏生地使用にしている。
パック使用なので用材の使用量によって、サイズ調整が可能。
【発明の効果】
【００１１】本発明は、臭気物質吸着剤・臭気分解剤を一種または複数に化合・坦持し通気性のある不織物に充填し悪臭を効率よく吸着・分解する。【００１２】本発明は、比表面積の大きい臭気吸着・臭気分解物質の天然素材の籾殻加工物質・珪藻土焼成粒・ゼオライト・活性炭・木炭等に坦持させることで、アンモニア・酢酸・アセトアルデヒド・メチルメルカプタン・硫化水素等の悪臭を効率よく吸着・分解することができる。【００１３】使用後は、そのまま廃棄処分をすることにより感染症・院内感染を防ぐことができるため保健衛生環境に貢献できる。【００１４】本発明は、単体消臭・対流によって吸着・分解効果が発揮することができる。
【発明を実施するための最良の形態】
【００１５】本発明の消臭パックの素材はそれ自体優れた効果があり、カーペット・消臭パックの畳み重ね使用等多目的汎用性が発揮される。【００１６】本発明の、多孔質組成物の多目的消臭吸着・分解素材は、多孔シリカ天然素材の籾殻加工物質・珪藻土焼成粒物質・ゼオライト物質・活性炭物質・木炭物質等を素材にしたことを特徴とする。【００１７】本発明の、多孔質組成物の多目的消臭吸着・分解素材の消臭用繊維として、不織布が空隙率の高さ・変形しにくいことから使用が好ましい。【００１８】さらに、アクリル系バインダー樹脂・酢酸ビニル系バインダー樹脂等は消臭分解剤に好ましい。【００１９】本発明の消臭繊維の構成繊維を不織布・ナイロン・ポリエステル・ポリプロピレン・綿・レーヨン・麻・絹・羊毛等の単一、または、二種類以上の複合繊維が好ましい。
【産業上の利用可能性】
【００２０】本発明は、天然資源を素材とした籾殻加工物質・珪藻土焼成粒物質・ゼオライト物質・活性炭物質・木炭物質を素材とし、その特性を活用した多孔質組成物の多目的消臭パックの開発である。【００２１】本発明の多目的消臭パックの素材は、超多孔質でしかも超細孔を保持し、軽さは、かさ比重０，２４・気孔率９０パーセント・ＳｉＯ２は９５．４２％を特徴とする。多孔性によって、吸湿性・放湿性に富み・消臭・空気清浄・保温効果がある。
(57)【要約】【課題】高電圧による放電方式・放射線から発生するマイナスイオンは、人体に有害であることは公知である。本発明は、マイナスイオンを効率的に供給し、公知、新陳代謝の活性化・血行促進・自律神経の安定・脳波の安定等、諸効果実施のマイナスイオン発生器を提供する。【解決手段】上記のように本発明は、高いマイナスイオン発生器と水との接触反応でもって生成し、大量のマイナスイオン水を身体に浴びることを可能とし、しかも、汎用性があり、安価で安全・安心が得られる。【選択図】なし【特許請求の範囲】
【請求項１】
温水にマイナスイオン発生装置を設置し、温水とマイナスイオンの混合含有を水流・波動水作用を特徴とする。
【請求項２】
請求項１のマイナスイオン発生材は、トルマリン・ゼオライト・パーライト・珪藻土・活性炭等マイナスイオン発生材から選ばれた一種類、又は、一種類以上の上記記載のマイナスイオン発生器を特徴とする。
【請求項３】
前記温水に設置された装置にマイナスイオン発生材を加え、請求項１又は請求項２に記載のマイナスイオン発生構造とその製造方法を特徴とする。
【請求項４】
前記のマイナスイオン装置は、家庭用・業務用・温泉風呂等に汎用でき、本発明の趣旨を逸脱しない範囲の変更は、本発明に含まれる。
【発明の詳細な説明】
【技術分野】
【０００１】本発明は、マイナスイオン発生構造に関し、入浴・温泉浴効にマイナスイオン効率を備えたマイナスイオン発生器に関するものである。
【背景技術】
【０００２】従来の入浴・温泉浴に肩こり・だるさ・ストレスによる自律神経失調症等の原因不明の疾患症候群対策や健康配慮が望まれている。【０００３】本発明は、自覚症状はあるが、病院検査は健康常人と変わらないとの検査結果となることがある。症候群の対策として、マイナスイオンの含まれた健康志向をはかることが求められている。
【発明の開示】
【発明が解決しようとする課題】
【０００４】従来ネックレス・腕輪等の加工製品にマイナスイオン作用を有することで販売されている。本発明のマイナスイオン発生装置は、さらに、湿度・弱アルカリ等によって、マイナスイオンの発生効率を高められ、入浴でもって、発生効率が向上する知見を得ることができた。
【課題を解決するための手段】
【０００５】本発明は、マイナスイオンの発生する放電方式・有害な放射線の発生は、公知、人体に有害であり、上記目的解決対応を多目的用に達成するために、化学物質のない前記知見に基づき完成度の高いマイナスイオン発生効率・安定効果のマイナスイオン発生器を快適性、健康面を提供することを目的とする。
【発明の効果】
【０００６】本発明は、公知、トルマリン・活性炭等から放出される高いマイナスイオン効果と遠赤外線効果の相乗効果によって新陳代謝の活性化・自立神経の正常化の機能効果が得られる。【０００７】本発明のマイナスイオン発生効率の高い微粒子の組成成形物が水分との接触反応により、安定した水分量のマイナスイオン効果が得られる。【０００８】上記は、水の浄化作用効果が得られることができた。【０００９】さらに、水の循環作用でマイナスイオンが増加し、機能性物質の諸効果の発見。
【発明を実施するための最良の形態】
【００１０】本発明のマイナスイオンの発生部を、多孔質材の組成物構造が坦持し、重要な効果が発揮される。その結果、実施形態は好適に活用できることを特徴とする。【００１１】上記は、大量のマイナスイオン含有を身体に浴し・身体に噴射できることを特徴とする。【００１２】上記は、長時間の使用ができる。しかも、安価で安全、安心なことを特徴とする。【００１３】天然素材を使用することから安全・安心を特徴とし、さらに本発明は、実施例によってなんら限定されないことを特徴とする。【００１４】さらに、マイナスイオンと水流圧・波動水によって相乗効果が得られる。
【産業上の利用可能性】
【００１５】以上から、本発明は、マイナスイオン発生材として健康志向手段として有用であり、家庭用・業務用・温泉風呂等に汎用ができる。【００１６】本発明のマイナスイオン発生器は、マイナスイオン効果によって、公知、新陳代謝の活性化・血行促進・美肌効果・脳波の安定・免疫力の回を特徴とし、しかも、安価で安心、安全を提供し、産業上の利用に貢献できる。
(57)【要約】【課題】  菜園、花壇に給水する場合、最も必要とする根元近くに、低圧の水を、多量に潅水し、同時に液肥を混合して能率的に与えること。【解決手段】（イ）水を手元より植物の根元まで斜めに流下させ、根元部分で、水平板に当てて、水勢エネルギーを吸収させ、水量を落とさず低圧に給水する。（ロ）斜めに流下するパイプ内に端部を逆じょうご形に広げた細いホースを留め置き、連通するホースをパイプ内壁より外に貫通して延長し液肥容器に繋ぎ、液肥を希釈して散水する液肥混合低圧潅水器。【選択図】図１
2012085631.tif 000002
【特許請求の範囲】
【発明の詳細な説明】
【技術分野】
【０００１】      本発明は家庭園芸又は農業における潅水ノズルに関するものである。
【背景技術】
【０００２】  畑や植木鉢に給水する場合、水の勢いが強すぎると、土を跳ね飛ばしたり、根を浮かせたり葉に泥が掛って、成長を阻害したり病気の原因となるとともに木や葉等必要の無い場所に飛散しては大切な根元への給水が少なくなかった。
【先行技術文献】
【０００３】
【特許文献】
【特許文献】［特開］２００７−２９５８８４  ［特開］平成７−８７８７３
【発明の概要】
【発明が解決しようとする課題】
【０００４】  水道のない時代は桶から柄杓で汲み取り静かに根元に散水をしていたため、土を跳ね飛ばしたりはせず、根元にやさしくしみこませることができた。現在では、一般には歩きながら、片手でホースを引き、もう一方の手で、ジョウロを用いて腰の高さから潅水する場合が大部分である。
高いところから植物の根に向けて潅水しても、葉に掛かる分と外へ流れ出る分を合わせると、最も大切な植物の根元には７０％くらいしか有効に生かされず、主要な根元への潅水が不十分であった。その上、水勢を落とすため孔が小さいと必然的に詰まりやすく度々作業を止めて掃除をしなければならなかった。又、液肥の同時混合は、特殊な機械を必要とし、簡便に使用可能なものはなかった。本発明は、以上の問題点を解決する為になされたものである。
【課題を解決するための手段】
【０００５】  半円形に曲げた通水管後部にホースの接続部を設け、同通水管の前部より斜めに流下パイプを接続し、流下パイプの先端に円盤を固定する。流下パイプの途中に細いチューブを貫通し端部を吐出方向に向け逆じょうご型に広げる。チューブの別の端部は栓を経由して液肥タンクの吐出口に接続する。以上の構成よりなる潅水器。
【発明の効果】
【０００６】  本発明は、水量は多が、水勢の弱い灌水を可能にし、目詰まりを絶対に起こさずに、しかも、液肥を混合して、同時に灌水することができる。
【図面の簡単な説明】
【０００７】
【図１】本発明の断面図
【図２】本発明の先端斜視図
【図３】本発明の先端を、１体成型した場合の斜視図
【図４】本発明の先端を、１部品化した斜視図。
【発明を実施する為の形態】
【０００８】    以下本発明の実施の形態を説明する。
（イ）湾曲した送水管（４）の最上部を握部（３）とする。送水管（４）の後端にホースを接続する接続部を設ける。送水管の前端部に斜め下前方向に流下パイプ（５）を接続固定する。
（ロ）流下パイプ（５）の先端に円盤（７）を固着する。円盤の大きさは大きくすると、薄い水膜ができる長所があり、小さくすると、立ち並んだ植物の間に挿入しやすい長所があるので５〜１０ｃｍが適当である。取付け方法は円盤（７）の後方を立ち上げ、円盤取付け金具（８）とホースバンド（９）を使用して、流下パイプ（５）に固定するが、流下パイプ（５）と円盤（７）を１体成型してもよい。
（ハ）他の取付け方法として流下パイプの端部に第二流下パイプ（１４）を挿入し第二流下パイプにタブ（１１）を出し円盤の周辺から出した壁に固着したタブ（１０）を挟みネジ（１３）とナット（１２）で固定する。
（ニ）湾曲した送水管（４）の終り付近に孔を斜めに開けて液肥吸入ホース（６）を貫通し流下パイプ内上部で、端部を広げ留め置く。液肥吸入ホース（６）の別の端部は液肥タンクに接続する。
本発明は以上のような構造である。
（ホ）本発明を使用する場合、送水管（４）後部の入水部にホース（１）を連結し流水すると、水は湾曲した送水管（４）内を流れ、連通する流下パイプ（５）内に流れ落ちて端部の円盤（７）に当たり膜状に流出する。藻などで詰まることなく立ったまま茎と茎の間に差し入れ根元にやさしく多量の水を与えられるので、水が無駄にならず、作業が楽で、時間の節約になる。
（ヘ）傾斜した流下パイプ（５）内に水が流れ落ちると流下パイプ（４）内の液肥吸入ホース（６）の端部は、逆じょうご状の為、流水によって負圧が生じ、液肥吸入ホース（６）を通して液肥容器から液肥を吸入して流水中に混合されて流れ落ちる。
液肥は、毎日供給する必要は無いからとめておくと、肥料分が固まって液肥通路をふさぐ心配がある。その対策として、作業を終わるとき流下パイプ（４）の吐出口を瞬間指でふさぐと水は逆流して液肥容器まで流入し、栓やホースの詰まりを予防できる。流下パイプ（５）は、開口したままのため、ごみや藻が、多量にあっても、絶対に詰まらないので、快適に潅水できる。
【符号の説明】
【０００９】（１）ホース、（２）ホースバンド、（３）握部、（４）送水管、（５）流下パイプ、（６）液肥吸入ホース、（７）円盤、（８）継ぎ手、（９）ホースバンド、（１０）円盤保持壁付きタブ、（１１）パイプ付タブ、（１２）ナット、（１３）締め付ネジ、（１４）第二流下パイプ
【図１】
2012085631.tif 000003
【図２】
2012085631.tif 000004
【図３】
2012085631.tif 000005
【図４】
2012085631.tif 000006
【手続補正書】
【提出日】平成22年12月6日(2010.12.6)
【手続補正１】
【補正対象書類名】特許請求の範囲
【補正対象項目名】全文
【補正方法】変更
【補正の内容】
【特許請求の範囲】
【請求項１】
パイプの中心線が約４５度の角度で円盤の中心部に位置する状態を保持するために円盤の後部周辺に沿って立ち上げた壁をパイプに固着した事を特徴とする液肥混合低圧潅水器。
【請求項２】
約４５度に傾斜して流下させるパイプの端部に、後部を上に曲げた円盤に保持具の一端を固着し、別の一端をパイプに沿わせた樋型金具に固着して、ホースバンドでパイプに固着したことを特徴とした液肥混合低圧潅水器。
【請求項３】
パイプ又はアタッチメントの中心線が円盤の中央に位置しかつ４５度の角度で保持する為円盤の後部に周辺に沿って壁を立ち上げ壁の後方向にタブを設け、パイプ又はアタッチメントから下向きに出したタブを重ね合わせ、ネジを貫通して締め付けることを特徴とする液肥混合低圧潅水器。